(57)【特許請求の範囲】
【請求項１】
両端が開口した外筒部と、
その外筒部内に設けられ、第１のシリンジの先端部が接続される第１の接続部と、
前記外筒部内に設けられ、第２のシリンジの先端部が接続される第２の接続部と、
を備え、前記第１のシリンジから前記第２のシリンジへの薬液の移送を可能とする薬液移送用ホルダであって、
前記外筒部の断面形状が、断面中心から径方向外側に円弧状に突出するように形成された複数の突出部で構成された形状となっており、前記外筒部の一方の端面が、前記第１のシリンジのテーパ状に形成された先端面に対応して傾斜して形成されていることを特徴とする、薬液移送用ホルダ。
【請求項２】
さらに、前記外筒部の内部空間を区画する隔壁を有し、
前記隔壁の一方の面側に前記第１の接続部が形成され、
他方の面側に前記第２の接続部が形成されている、
請求項１に記載の薬液移送用ホルダ。
【請求項３】
前記第１の接続部が筒状部として形成されている、請求項１または２に記載の薬液移送用ホルダ。
【請求項４】
前記第２の接続部が筒状部として形成されている、請求項１〜３のいずれか一項に記載の薬液移送用ホルダ。
【請求項５】
前記外筒部の断面形状が、３つ以上の６つ以下の前記突出部で構成されている、請求項１〜４のいずれか一項に記載の薬液移送用ホルダ。
【請求項６】
請求項１〜５のいずれか一項に記載の薬液移送用ホルダと、
前記第２のシリンジとしての空シリンジと、
を備えるシステム。
【請求項７】
前記空シリンジがアンギオシリンジである、請求項６に記載のシステム。
【請求項８】
さらに、
前記第１のシリンジとして造影剤が充填されたプレフィルドシリンジを備える、請求項６または７に記載のシステム。
【請求項９】
両端が開口した外筒部と、
その外筒部内に設けられ、第１の液体収容容器の先端部が接続される第１の接続部と、
前記外筒部内に設けられ、第２の液体収容容器の先端部が接続される第２の接続部と、
を備え、前記第１の液体収容容器から前記第２の液体収容容器への薬液の移送を可能とする薬液移送用ホルダであって、
前記外筒部の断面形状が、断面中心から径方向外側に円弧状に突出するように形成された複数の突出部で構成された形状となっており、前記外筒部の一方の端面が、前記第１の薬液収容容器のテーパ状に形成された先端面に対応して傾斜して形成されていることを特徴とする、薬液移送用ホルダ。
【発明の詳細な説明】
【技術分野】
【０００１】
本発明は、充填済みシリンジの薬液を他の空シリンジに移送して充填することを可能とし、かつ、煩雑な作業を要することなく充填作業を行うことが可能な薬液移送用ホルダに関する。
【背景技術】
【０００２】
現在、医用の画像診断装置として、ＣＴ(Ｃｏｍｐｕｔｅｄ  Ｔｏｍｏｇｒａｐｈｙ)装置、ＭＲＩ(Ｍａｇｎｅｔｉｃ  Ｒｅｓｏｎａｎｃｅ  Ｉｍａｇｉｎｇ)装置、ＰＥＴ(Ｐｏｓｉｔｒｏｎ  Ｅｍｉｓｓｉｏｎ  Ｔｏｍｏｇｒａｐｈｙ)装置、超音波診断装置、血管造影（アンギオグラフィ）撮像装置等が知られている。
【０００３】
患者への造影剤の注入は、薬液注入装置を用いて自動的に行うのが一般的となってきている。薬液注入装置は、例えば、薬液を充填したシリンジが着脱自在に装着される注入ヘッドと、注入ヘッドの動作を制御するコンソールとを備えている。シリンジは、シリンダと、シリンダ内にその軸方向に移動可能に挿入されたピストン部材とを有している。注入ヘッドは、注入ヘッドに装着されたシリンジのピストン部材をシリンダ内に押し込むためのピストン駆動機構を備えている。シリンダの先端部に延長チューブを介して注入針を接続し、注入針を患者の血管に穿刺した後、ピストン駆動機構がピストン部材をシリンダ内に押し込むことでシリンジ内の薬液（例えば造影剤）が患者に注入される。
【０００４】
シリンジに関しては、予め造影剤がシリンジ内に充填されたプレフィルドシリンジが知られている。他にも、造影剤の入った容器（ボトル）から空のシリンジに所定量だけ造影剤を吸引してそれを使用する場合もある。図示は省略するが、例えばこのような吸引は次のようにして行なわれる。すなわち、空のシリンジの先端部に略Ｊ字型の吸引チューブの一端を接続し、他端は造影剤の入った容器内に挿入する。その状態でシリンジのピストン部材を引くことで、容器内の造影剤が吸引チューブを通ってシリンジ内に吸引される。なお、特許文献１にはボトルから可撓性の接続チューブ経由で造影剤をシリンジ内に吸引する技術が開示されている。
【先行技術文献】
【特許文献】
【０００５】
【特許文献１】特開２０００−１８９５１５号公報
【発明の概要】
【発明が解決しようとする課題】
【０００６】
ところで、上記のような、シリンジ内への薬液吸引作業においては、煩雑な作業を要することなく、しかも薬液の滴下といった問題が発生し難いものであることが望ましい。詳細は後述するが、吸引チューブで容器から薬液を吸引する方式では、作業後に吸引チューブを外したり片付けたりする際に薬液が滴下してしまう等の問題があった。
【０００７】
本発明は、こうした問題点を一つの着眼点としてなされたものであって、その目的は、例えば充填済みシリンジ内の薬液を他の空シリンジに移送して充填することを可能とし、かつ、煩雑な作業を要することなく充填作業を行うことが可能な薬液移送用ホルダを提供することにある。
【課題を解決するための手段】
【０００８】
上記課題を解決するための本発明の一形態の薬液移送用ホルダは下記の通りである：
両端が開口した外筒部と、
その外筒部内に設けられ、第１のシリンジの先端部が接続される第１の接続部と、
上記外筒部内に設けられ、第２のシリンジの先端部が接続される第２の接続部と、
を備え、上記第１のシリンジから上記第２のシリンジへの薬液の移送を可能とする薬液移送用ホルダであって、
上記外筒部の断面形状が、断面中心から径方向外側に突出するように形成された複数の突出部で構成された形状となっていることを特徴とする、薬液移送用ホルダ。
【０００９】
（用語の説明）
「薬液」には、造影剤、生理食塩水、抗癌剤など種々のものが含まれる。
「造影剤」の具体例としては、ヨード濃度２４０ｍｇ／ｍｌの造影剤（例えば、３７℃において粘度３．３Ｐａ・ｓ、比重１．２６８〜１．２９６）、ヨード濃度３００ｍｇ／ｍｌの造影剤（例えば、３７℃において粘度６．１ｍＰａ・ｓ、比重１．３３５〜１．３７１）、ヨード濃度３５０ｍｇ／ｍｌの造影剤（例えば、３７℃において粘度１０．６ｍＰａ・ｓ、比重１．３９２〜１．４３３）等がある。
・「生理食塩水」の具体例としては、生理食塩水２０ｍｌ中に塩化ナトリウム１８０ｍｇを含有した生理食塩水（例えば、２０℃において粘度０．９５９５ｍＰａ・ｓ、比重１．００４〜１．００６）等がある。
・「プレフィルドシリンジ」とは、シリンジ内に薬液（一例で造影剤）が予め充填され市販されるようなシリンジを意図する。
・「充填済みシリンジ」は、プレフィルドシリンジのほか、例えば病院内において空のシリンジに薬液（一例で造影剤）を充填して用意されたシリンジをも含む。
【００１０】
・「薬液注入装置」は、典型的には、少なくとも造影剤を所定の注入条件にしたがって自動注入する装置のことをいう。薬液注入装置は、一例で、次の構成要素を備えている：
−ピストン駆動機構
−制御ユニット
−ディスプレイ
薬液注入装置は、注入ヘッドとそれに接続されたコンソールとで構成されるものであってもよい。この場合、注入ヘッドには、ピストン駆動機構と、それに接続された制御ユニット（プロセッサおよび動作プログラム等を含む制御回路）等が設けられる。必要に応じて注入ヘッドはディスプレイを有する。コンソールには、制御ユニット（プロセッサおよび動作プログラム等を含む制御回路）とディスプレイ等が設けられる。一形態において、薬液注入装置は、注入ヘッドとコンソールとが一体的に構成されたような装置であってもよい。
【００１１】
「注入ヘッド」は、シリンジを保持するシリンジ保持部と、そのシリンジのピストンを前進および／または後退させるピストン駆動機構を有する。シリンジの装着方法としては、主に、（ｉ）シリンジ保持部が、一例で、ヘッド上面の凹部として形成されそこにシリンジがセットされるいわゆるサイドローディングのタイプと、（ｉｉ）シリンジ保持部がヘッド前面に形成されシリンジの基端部が保持されるいわゆるフロントローディングのタイプとがある。本発明の一形態においては、いずれのタイプの注入ヘッドをも含む。一筒式または二筒式のいずれであってもよいし、あるいは、シリンジを３本以上保持する多筒式のものであってもよい。
【００１２】
「ヘッド保持器具」として、例えば、キャスター付きのスタンドや天井懸垂式の保持アーム等を利用可能である。注入ヘッドは、一例で、その先端側が下方を向いたり上方を向いたりするようにヘッド保持器具の一部に回動自在に保持される。
【発明の効果】
【００１３】
本発明によれば、例えば充填済みシリンジ内の薬液を他の空シリンジに移送して充填することを可能とし、かつ、煩雑な作業を要することなく充填作業を行うことが可能な薬液移送用ホルダを提供することができる。
【図面の簡単な説明】
【００１４】
【図１】薬液移送用ホルダの斜視図である。
【図２】図１のホルダの一部拡大断面斜視図である。
【図３】図１のホルダの平面図および底面図である。
【図４】図１のホルダの縦断面図である。
【図５】シリンジの斜視図である。
【図６】シリンジの先端側の構造を示す図である。
【図７】充填済みシリンジの先端側の構造を示す図である。
【図８】図１のホルダの使用状態を説明するための図である。
【発明を実施するための形態】
【００１５】
本発明の実施の形態を図面を参照して以下に説明する。なお、以下では説明の都合上「上」、「下」、「左」、「右」といった方向を示す語句を使用するが、これらは何ら本発明を限定するものではない。
【００１６】
（薬液移送用ホルダ）
この薬液移送用ホルダ３０１（以下、単に「ホルダ」ともいう）は、第１のシリンジ（例えばプレフィルドシリンジなどの充填済みシリンジ）から第２のシリンジ（例えばアンギオシリンジ）への薬液の移送を可能とするものである。以下の説明では、一例として充填済みシリンジから他のシリンジへ移送する態様を説明するが、本願発明のホルダは他の用途にも応用可能であることは当業者であれば理解されよう。換言すれば、シリンジに限らず、第１の液体収容体から第２の液体収容体への移送の場合にも本発明の一形態に係るホルダを利用しうるものである。
【００１７】
薬液移送用ホルダ３０１は、特に限定されるものではないが、例えば単一部材として構成された樹脂成形品であってもよい。他の形態では、ホルダは、２以上の部品を組み立てて構成されるものであってもよい。
【００１８】
薬液移送用ホルダ３０１は、両端が開口した筒状部材であり、図１、図２に示すように、外筒部３１０と、その内部に形成された隔壁３３３と、隔壁３３３に形成された第１および第２の接続部３３０−１、３３０−２とを有している。ホルダ３０１は、一例として、全長が５０ｍｍ〜６０ｍｍ程度で、外筒部３１０の外接円の直径が１５ｍｍ〜２０ｍｍ程度のサイズとしてもよい。
【００１９】
外筒部３１０は、一例で、ストレートに延びる中空の部材であってもよい。図２に示すように、その内部空間は隔壁３３３によって、上部開口側の内部空間Ｓ１と、下部開口側の内部空間Ｓ２とに区画されている。
【００２０】
外筒部３１０は、一形態においては円形または実質的に円形の断面形状とすることもできる。しかしながら、本実施形態では非円形となっている。「非円形」としては、例えば、楕円形、卵形、三角形、四角形、五角形、六角形、多角形、十字形（Ｘ型）、花形などが挙げられる。「非円形」とは、中心から外縁までの半径が均一ではないものと定義することができる。
【００２１】
この例は、中心から径方向外側に膨らむように形成された４つの湾曲部３６１−１〜３６１−４（各々を単に湾曲部３６１ともいう）を有するものであり、花型に分類できる。図３に示すように、湾曲部３６１は円弧形であり、周方向に９０°間隔で配置されている。
【００２２】
このように外筒部３１０が非円形に形成されている場合、円形のものと比較して、ホルダが転がるのを防止することができるという利点がある。また、後述するようにホルダに対してシリンジの先端を接続する際に、円形のものと比較して、ホルダが握り易い形状であるので、接続作業を行い易いという利点もある。
【００２３】
なお、湾曲部３６１の数は特に限定されることはなく、４つではなく、例えば３つとしてもよい。あるいは、５つまたは６つの湾曲部３６１を形成するようにしてもよい。ただし、湾曲部３６１の数が多くなりすぎると、ホルダの転がりを防止する効果が低減するので、６つ以下程度とすることが一形態において好ましい。一例では３つ以上６つ以下である。
【００２４】
なお、当業者であれば、同様の作用効果は湾曲部３６１の輪郭形状を変更したとしても得ることを理解されるであろう。すなわち、円弧状に限らず、湾曲部３６１の輪郭形状を三角形、四角形、または多角形としてもよい。このような形状のものは、「湾曲部」ではなく、例えば「突出部」などと表現することができる。
【００２５】
ホルダの各部の構造についてより具体的に説明する前に、それら各部の構造はホルダに接続されるシリンジの形状を考慮して設計されているものであるので、先ず、プレフィルドシリンジ（第１のシリンジ）およびアンギオシリンジ（第２のシリンジ）の具体的形状について説明する。
【００２６】
（アンギオシリンジ）
アンギオシリンジ２３０は、アンギオグラフィ（血管造影検査）で使用されるものであり、図５、図６に示すような筒状のシリンダ部材２３１と、その内部にスライド自在に挿入されたピストン部材（プランジャ、不図示）とを有している。ピストン部材は、いわゆるロッドレスタイプのものであってもよい。アンギオシリンジ２３０としては市販のものを利用してもよい。シリンジの容量は、例えば１００ｍｌ〜２００ｍｌ程度であってもよいがそれに限定されるものではなく、例えば２０ｍｌ程度のものから、数百ｍｌ程度のものまで広範囲のものを利用可能である。シリンダ部材２３１の材質は、樹脂等であってもよい。シリンダ部材２３１は、基端部が開口しており、基端部付近にシリンダフランジが形成されていてもよい。
【００２７】
シリンダ部材２３１の先端側には、細長く突出した先端部（ノズル部）２３５が形成されている。先端部２３５の先端には、薬液チューブを接続するためのルアーロック構造が設けられている。
【００２８】
先端部２３５の先端はやや先細りのテーパ状に形成された先端導管部２３６となっており（図６参照）、その先端導管部２３６の近傍にネジ部２３７が形成されている。ネジ部２３７には、図５に示すように輪転部材２３９が回転可能に取り付けられている。このような接続構造は従来公知であり、薬液チューブのコネクタ（不図示）の端部を輪転部材２３９の内部に配置し、同コネクタを先端導管部２３６に対向させ、その状態で輪転部材２３９を締めていくことにより、コネクタ端部が徐々に先端導管部２３６の方に押し付けられて接続が行われる。輪転部材２３９自体は、略円筒形に形成された部材である。
【００２９】
（保護ケース）
なお、アンギオシリンジ２３０は、一般に、使用時に保護ケース（プレッシャージャケット、不図示）内に挿入された状態で注入ヘッドに装着される。このような保護ケースとしては、一例で、円筒形の中空の本体部材を有するものであってもよい。本体部材は、先端側が略閉じ、後端側が開口した構成となっている。アンギオシリンジは保護ケースの後端の開口から挿入される。本体部材の先端面にはシリンジの先端部２３５を通すための開口部が形成されている。保護ケースの材質は、特に限定されないが、樹脂、ガラス、金属等であってもよい。アンギオシリンジ自体で十分に高圧注入に対応できる場合（例えば８００ｐｓｉ以上、１０００ｐｓｉ以上、または１２００ｐｓｉ以上に対応可能な耐圧シリンジの場合）、保護ケースを使用しない場合もある。保護ケースは、内部に収容されたシリンジの高圧注入時の物理的な変形を防止して耐圧性能を向上させる役割を果たす。
【００３０】
（プレフィルドシリンジ）
プレフィルドシリンジとしては、図７のような筒状のシリンダ部材２１１と、それにスライド自在に挿入されたピストン部材（不図示）とを備えるものであってもよい。
【００３１】
シリンダ部材２１１の先端は略円錐型のテーパ状の先端面２１３となっており、その先端面の中心に先端部２１５が設けられている。先端部２１５は、先端導管部２１６と、それより一回り大径に形成された外側筒状部２１７とが同軸に配置された構造となっている。図示は省略しているが、外側筒状部２１７の内壁面にはネジ部が形成されており、薬液チューブのコネクタをここに螺合させることができるようになっている。
【００３２】
なお、図示しないが、シリンダ部材２３１の開口側端部にシリンダフランジが形成されており、そのフランジの外周部に２つの切欠き部が形成されていてもよい。別の態様では、切欠き部は１つまたは３つ以上であってもよい。
【００３３】
（ホルダの具体的構造）
再び図１、図２、図４を参照して、ホルダ３０１の外筒部３１０の上部開口部の形状について説明する。
【００３４】
図４に示すように、外筒部３１０の上端面３１０ａはテーパ面となっている。具体的には、基準線Ｌａに沿うように傾斜した面となっている。この基準線Ｌａは、プレフィルドシリンジの先端面２１３のテーパと同一または実質的に同一（例えば、±１０°の範囲）である。
【００３５】
このように外筒部３１０の上端面３１０ａがテーパ面となっていることで、シリンジ接続時に、この上端面３１０ａでプレフィルドシリンジの先端面２１３を安定的に支持できることとなる。特に、本実施形態では外筒部３１０が上述したような複数の湾曲部３６１からなる非円形の形状である。このような輪郭形状に対して、その上端面を基準線Ｌａに沿うようなテーパ面とした場合、１つの湾曲部３６１において、符号Ｐ１で示す領域が全体的に傾斜して形成されることとなり、広い面積でシリンジの先端面を受けることができるものとなる。したがって、単純な円形の輪郭形状の場合において上端面にテーパを付ける場合と比較して、より効果的に安定的保持の作用効果を得ることができる。
【００３６】
なお、本実施形態では、あくまで一例として、プレフィルドシリンジが接続される例を示しているので、上記のような説明としているが、当然ながら、外筒部３１０の上端面３１０ａは、接続される相手物の容器（一例でバイアルやボトル）の外形に対応した（別の言い方をすれば相補的な）形状とされていることも好ましい。
【００３７】
続いてホルダ３０１の内部構造について説明する。図４に示すように、隔壁３３３の上面側に第１の接続部３３０−１が形成され、隔壁３３３の下面側に第２の接続部３３０−２が形成されている。第１の接続部３３０−１はプレフィルドシリンジの先端導管部２１６が接続される部分であり、第２の接続部３３０−２はアンギオシリンジの先端導管部２３６が接続される部分である。
【００３８】
隔壁３３３には貫通孔３３３ｈが形成さており、これにより、第１および第２の接続部３３０−１、３３０−２が互いに連通した状態となっている。貫通孔３３３ｈの内径は、特に限定さるものではないが、シリンジの先端導管部の内径以下であることが一形態において好ましい。例えば１．５ｍｍ程度〜２．５ｍｍ程度としてもよい。このような構成によれば、先端導管部の内径よりも大径とする場合と比べて、当該個所付近にエアが溜まりにくいという作用効果が期待できる。
【００３９】
（第１の接続部）
第１の接続部３３０−１は、外筒部３１０と軸線を同じくする円筒部３３６として設けられている。この円筒部３３６の内径は、プレフィルドシリンジの先端導管部２１６の外径より僅かに大きく形成されており、これにより、円筒部３３６内に先端導管部２１６を挿入することができようになっている。円筒部３３６の内周面は、プレフィルドシリンジの先端導管部の外形に対応するようなテーパ面（一例として同じテーパ）として形成されていることが好ましい。薬液が漏洩しないように、先端導管部２１６を挿入した際にその外周面が円筒部３３６の内周面に密着するように構成されている。またこのような構成によれば、液体の移送時に気泡が液中に取り込まれことも防止される点からも好ましい。
【００４０】
円筒部３３６の肉厚は、一例で、０．８ｍｍ程度〜２．０ｍｍ程度の範囲内であってもよい。ただし、円筒部３３６は、シリンジ接続時に、プレフィルドシリンジの内側導管部２１６と外側筒状部２１７との間に生じた円筒状の凹溝２１５ｄ内に入るものである必要がある。したがって、円筒部３３６の外形は外側筒状部２１７の内径よりも小さく形成されている。
【００４１】
円筒部３３６の高さは、一例で、３．０ｍｍ程度〜７．０ｍｍ程度であってもよい。
【００４２】
ホルダ３０１は、基本的には、図４のような縦向きの姿勢で使用され、上方にプレフィルドシリンジ２１０（図７参照）が接続される。プレフィルドシリンジ２１０を、ホルダ３０１で安定的に保持するための工夫としては、上述したように外筒部３１０の上端面をテーパ面とするのに加えて、次のような構造を、単独でまたは併用して、利用してもよい。
【００４３】
すなわち、図２、図３に示すように、外筒部３１０の内側に複数のリブ３６３が形成されている。リブ３６３は、直径ｄ２１７の内接円（図３）を規定するような配置および形状とされている。「直径ｄ２１７」は、プレフィルドシリンジ先端の外側筒状部２１７の外形に対応する大きさである。つまり、このような構成により、シリンジを接続した状態で、外側筒状部２１７の外周が複数のリブ３６３によって保持されるようになっており、これにより、プレフィルドシリンジより安定的な保持が実現される。
【００４４】
なお、各リブ３６３は、平面視で、外筒部３１０の内周から中心側に向かって突出するように形成されている。換言すれば放射状にリブ３６３が形成されている。このようなリブ構造によれば、例えば金型を利用して実際に製品を作成する際、内接円の直径ｄ２１７の寸法を調整し易いという利点がある。
【００４５】
図面から明らかであるが、この例では、第１の接続部３３０−１および第２の接続部３３０−２はいずれも外筒部３１０の外側には突出していない。このような構成によれば、使用者がホルダ３０１に触れたとしても、各接続部３３０−１、３３０−２には指が触れることはく、衛生が保たれる。
【００４６】
（第２の接続部）
第２の接続部３３０−２も、第１の接続部３３０−１と同様、外筒部３１０と軸線を同じくする円筒部３３７として設けられている。この円筒部３３７の内径は、アンギオシリンジの先端導管部２３６の外径より僅かに大きく形成されており、これにより、円筒部３３７内に先端導管部２３６を挿入することができようになっている。円筒部３３７の内周面は、アンギオシリンジの先端導管部２３６の外形に対応するようなテーパ面として形成されていることが好ましい。薬液が漏洩しないようにおよび気泡の取込みを防止できるように、先端導管部２３６を挿入した際にその外周面が円筒部３３０−２の内周面に密着するように構成されていることが好ましいことは、上述した第１の接続部３３０−１に関する説明と同様である。
【００４７】
円筒部３３７の肉厚は、一例で、０．８ｍｍ程度〜２．０ｍｍ程度の範囲内であってもよい。円筒部３３７の高さは、一例で、５．０ｍｍ程度〜１５．０ｍｍ程度であってもよい。円筒部３３７（第２の接続部）と円筒部３３６（第１の接続部）の内径は同一であってもよいし異なっていてもよく、これは、接続するシリンジの先端形状に応じて適宜選択すればよい。
【００４８】
隔壁３３３より下方の内部空間Ｓ２に関し、図４に示すように、隔壁３３３から下端開口部までの長さＬ３１０（換言すれば下端開口部からの深さ）は、一例として、プレフィルドシリンジの先端部２１５（図７）を挿入したとしてもその先端部２１５が第２の接続部３３０−２までは届かない程度に長く設定されていることが好ましい。例えば２５ｍｍ以上であることが好ましい。これにより、ホルダの向きを誤って第１および第２の接続部３３０−１、３３０−２にプレフィルドシリンジおよびアンギオシリンジを逆に接続してしまうことを防止できるためである。長さＬ３１０はまた、一形態として、アンギオシリンジの輪転部材２３９をすべて覆うほどの長さであることも好ましい。
【００４９】
内部空間Ｓ２の内接円の直径ｄ２３６（図３（ｂ）参照）は、一例で、輪転部材２３９が外筒部３１０の内面に当接して保持される程度であることが好ましい。本実施形態の場合、輪転部材２３９は、外筒部３１０の内面の４個所（具体的には湾曲部どうしの接続部）に接して保持されることとなる。このような構成によれば、輪転部材２３９に触れることなく、ホルダ３０１を回すことで輪転部材を回転させることができるので、清潔を保つことができ、好ましい。
【００５０】
（使用方法）
以上のように構成された本実施形態の薬液移送用ホルダ３０１の使用方法の一例について以下説明する。なお、注入ヘッドを使用してアンギオシリンジに造影剤を吸引することについて説明するが、注入ヘッドへのシリンジの装着やホルダとシリンジとの連結などの順番は特に限定されるものではなく、種々変更可能である。
【００５１】
まず、薬液移送用ホルダ３０１、プレフィルドシリンジおよび空のアンギオシリンジを用意する。ホルダ３０１は、一例で、滅菌されて所定の包装体に封入されたものであってもよい。
【００５２】
そして、図８に示すように、アンギオシリンジ２３０の先端部にホルダ３０１を取り付ける。これにより、アンギオシリンジの先端導管部２３６が第１の接続部３３０−２に嵌まって接続が行なわれる。この状態では、輪転部材２３９がホルダの外筒部内周面に当接して保持されることとなるので、仮にホルダの内径が大きすぎてそのような保持がなされない構成と比較し、安定した固定を実現することができる。
【００５３】
一方、ホルダ３０１の上端開口側に対しては、プレフィルドシリンジ２１０の先端部を接続する。具体的には、プレフィルドシリンジの先端部をホルダ３０１に対して差し込むように移動させることで、プレフィルドシリンジの先端導管部２１６が第１の接続部３３０−１に嵌って接続が行われる。
【００５４】
プレフィルドシリンジの接続状態では、上述したように、シリンジの先端面２１３が外筒部３１０の傾斜した上端面３１０ａによって安定して保持される。また、この状態では、シリンジ先端の外側筒状部２１７がホルダ内の複数のリブ３６３によって保持されるため（図８では詳細な図示は省略）両者の固定はより安定したものとなる。
【００５５】
このように、ホルダに対してプレフィルドシリンジとアンギオシリンジとが接続されたら、その状態のアンギオシリンジを薬液注入装置の注入ヘッドに搭載する。そして、搭載後、ピストン駆動機構のラム部材（不図示）が進出させられて、アンギオシリンジのピストン部材（不図示）の背面の突出部を把持する。吸引動作は、注入ヘッドの先端側が上向きとなる姿勢（つまり、アンギオシリンジの先端側が上方を向く姿勢）となるまで、注入ヘッドを回動させて行なわれる。
【００５６】
なお、他の手順としては、保護ケース内に挿入したアンギオシリンジを注入ヘッドにセットした後、注入ヘッドを上向きとした状態で、ホルダ３０１およびプレフィルドシリンジ２０１の接続を行うようにしてもよい。
【００５７】
再び吸引手順の説明に戻り、次いで、ラム部材を後退させていくことにより、それに合わせてアンギオシリンジのピストン部材（不図示）も後退し、上方にあるプレフィルドシリンジ内の造影剤がホルダの経由でアンギオシリンジ内へと徐々に充填されていく。
【００５８】
ラム部材を所定の距離だけ移動させることにより、プレフィルドシリンジから空のアンギオシリンジ内へ造影剤が吸引され、充填が完了する。
【００５９】
ここまでの吸引（充填）手順が完了したら、プレフィルドシリンジおよびホルダを取り外し、あとは従来同様の方法で、アンギオシリンジをアンギオ検査用の薬液注入装置の注入ヘッドに装着して、薬液注入を行うことができる。
【００６０】
以上説明したような薬液移送用ホルダ３０１およびそれを用いた造影剤の移送方法によれば、例えばＣＴ検査用のプレフィルドシリンジの造影剤を、空のアンギオシリンジに吸引して利用することが可能となる。本実施形態の薬液移送用ホルダ３０１を用いる場合、例えば可撓性の接続チューブで２つのシリンジを接続して吸引を行うようなものとは異なり、シリンジどうしの接続を簡単に行うことができ、充填作業を煩雑な作業を要することなく実施することができる。
【００６１】
空のアンギオシリンジに造影剤を吸引する方法としては、例えば、造影剤の入ったボトルを用意し、アンギオシリンジの先端に逆Ｊ字型の吸引チューブ（吸引管）を接続し、同チューブの他端をボトル内に入れた状態で、吸引を行うことも考えられる。しかしながら、この方法の場合、吸引チューブを外したり片付けたりする際に造影剤が滴下してしまうことがある。これに対して上記のような方法によれば、ホルダ３０１内の薬液流路が短く形成されているので、そうした滴下の問題が生じにくい。また、仮にたとえばプレフィルドシリンジ２０１から薬液が滴下したとしても、本実施形態のように隔壁３３３を有する構成によれば、滴下した薬液をホルダ３０１内で保持することができる。
【００６２】
また、このようなホルダ３０１を取り扱う際、使用者の手が接続部３３０−１、３３０−２（図２参照）に触れることもなく、衛生的に作業を行うことができる。また、ホルダ３０１は、シリンジの逆刺しを防止できる構造となっているので、充填作業の失敗の発生を低減することができる。
【００６３】
なお、本出願は物品を薬液移送用ホルダとする意匠をも開示するものである。図１のホルダ３０１は、外筒部３１０が対称的な形状をしており、平面図、背面図、右側面図、左側面図に表れる形状が同一となる。
【００６４】
以上、図面を参照して本発明の実施形態について説明したが、本発明はその趣旨を逸脱しない範囲で種々変更可能であり、上記例に限定されるものではない。
（ａ１）上記実施形態のホルダ３０１の特徴の一部を省略した薬液移送用ホルダを構成することも可能である。例えば、外筒部３１０の上端面をテーパ状ではなく、水平に形成するようにしてもよい。
（ａ２）上記実施形態の隔壁３３３は、円筒部３３６、３３７の外周面と外筒部３１０の内周面との間を完全に塞ぐものであったが、これに変えて、貫通孔や開口部などが形成された隔壁としてもよい。
（ａ３）下面側の内部空間Ｓ２においても、上面側のリブ３６３と同様の保持用リブを設けるようにしてもよい。
（ａ４）ホルダ３０１がアンギオシリンジ２３０の先端部２３５に取り付けられた状態で、アンギオシリンジ２３０が販売されるものであってもよい。一形態では、その状態で滅菌され所定の包装袋に収容されて販売される。ホルダ３０１は、必ずしも先端部２３５に対して最終の固定位置まで差し込まれている必要はない。なお、ホルダ３０１の第２の接続部３３０−２（図８参照）は、その内孔が上記実施形態では略同一径のものであったが、本発明は必ずしもこれに限定されない。径が異なる多段の構造（開口端に近い方が相対的に大径となる）としてもよい。
【００６５】
（付記）
本明細書は下記の発明を開示する（なお、括弧中の符号は本発明を何ら限定するものではない）：
１．両端が開口した外筒部（３１０）と、
その外筒部内に設けられ、第１のシリンジ（２１０）の先端部が接続される第１の接続部（３３０−１）と、
上記外筒部内に設けられ、第２のシリンジ（２３０）の先端部が接続される第２の接続部（３３０−２）と、
を備え、上記第１のシリンジから上記第２のシリンジへの薬液の移送を可能とする薬液移送用ホルダであって、
上記外筒部（３１０）の断面形状が、断面中心から径方向外側に突出するように形成された複数の突出部（３６１−１等）で構成された形状となっていることを特徴とする、薬液移送用ホルダ（３０１）。
【００６６】
このようなホルダを利用することで、充填済みシリンジ内の薬液を、他の空シリンジに移送して充填することが可能となる。また本ホルダの利用に際しては、例えばチューブをシリンジの先端部に繋ぐといった手順が不要であり、簡単な作業で接続を行うことができ実用に資するものとなる。
【００６７】
２．さらに、上記外筒部の内部空間を区画する隔壁（３３３）を有し、
上記隔壁の一方の面側に上記第１の接続部が形成され、
他方の面側に上記第２の接続部が形成されている、
上記記載の薬液移送用ホルダ。
【００６８】
３．上記外筒部の一方の端面（３１０ａ）が、上記第１のシリンジのテーパ状に形成された先端面（２１３）に対応して傾斜（２１３）して形成されている、上記記載の薬液移送用ホルダ。
【００６９】
４．上記第１の接続部（３３０−１）が筒状部として形成されている、上記記載の薬液移送用ホルダ。
【００７０】
５．上記第２の接続部（３３０−２）が筒状部として形成されている、上記記載の薬液移送用ホルダ。
【００７１】
６．上記外筒部（３１０）の断面形状が、３つ以上の６つ以下の上記突出部（３６１−１等）で構成されている、上記記載の薬液移送用ホルダ。
【００７２】
７．上記記載の薬液移送用ホルダと、上記第２のシリンジとしての空シリンジと、を備えるシステム。
【００７３】
８．空シリンジがアンギオシリンジである、上記システム。
【００７４】
９．さらに、プレフィルドシリンジも含む、上記システム。
【００７５】
本出願は以下のような発明をも開示する：
１０．両端が開口した外筒部と、
その外筒部内に設けられ、第１の液体収容容器の先端部が接続される第１の接続部と、
上記外筒部内に設けられ、第２の液体収容容器の先端部が接続される第２の接続部と、
を備え、上記第１の液体収容容器から上記第２の液体収容容器への薬液の移送を可能とする薬液移送用ホルダであって、
上記外筒部の断面形状が、断面中心から径方向外側に突出するように形成された複数の突出部で構成された形状となっていることを特徴とする、薬液移送用ホルダ。
【００７６】
上記１０のホルダにおいて、上記２〜６の特徴を組み合わせたホルダ。それらのホルダと、第１の液体収容容器および第２の液体収容容器とを備えるシステム。
【００７７】
１１．両端が開口した外筒部と、
その外筒部内に設けられ、第１の液体収容容器の先端部が接続される第１の接続部と、
上記外筒部内に設けられ、第２の液体収容容器の先端部が接続される第２の接続部と、
を備え、上記第１の液体収容容器から上記第２の液体収容容器への薬液の移送を可能とする薬液移送用ホルダであって、
第１の開口部から前記第１の接続部までの距離と、第２の開口部から前記第２の接続部までの距離とが異なるように構成され、これにより、第１の液体収容容器の先端部を前記第１の開口部側から挿入した際には前記第１の接続部に接続することができるが、第２の開口部側から挿入した際には前記第２の接続部には接続できないように構成されている、薬液移送用ホルダ。
【００７８】
この態様の発明においては、ホルダの断面形状は必ずしも非円形に限らず、円形であっても構わない。このような構成によれば、第１の液体収容容器の先端部と第２の液体収容容器の先端部との逆刺しを防止できるので、接続時の人為的なミスを未然に防止でき、安全な使用に寄与するものとなる。
【符号の説明】
【００７９】
２１０  プレフィルドシリンジ
２１３  先端面
２１６  先端導管部
２３０  アンギオシリンジ
２３５  先端部
２３６  先端導管部
２３９  輪転部材
３０１  薬液移送用ホルダ
３１０  外筒部
３１０ａ  上端面
３３０−１、３３０−２  接続部
３３３  隔壁
３３３ｈ  孔
３３６、３３７  円筒部
３６１−１〜３６１−４  湾曲部（突出部）
３６３  リブ
Ｓ１、Ｓ２  内部空間
【図１】
0006732437.tif 000002
【図２】
0006732437.tif 000003
【図３】
0006732437.tif 000004
【図４】
0006732437.tif 000005
【図５】
0006732437.tif 000006
【図６】
0006732437.tif 000007
【図７】
0006732437.tif 000008
【図８】
0006732437.tif 000009